(57)【要約】      （修正有）【課題】切れ味の劣化に容易に対応でき、ほぞ切り等の特定の用途に限定されることがない手引き鋸を提供する。【解決手段】手引き鋸において、鋸板１２の基部１２Ａは固定用の穴又は溝を有し、木製柄１１の先端部には籐１５が巻き締められ、木製柄の差込み溝には先端開口からＵ字状の金属製の固定板が差込み固定され、固定板の両側壁面は鋸板基部の厚みと等しい間隔を有し、固定板の両側壁面の対面する箇所に挿通穴が設けられており、挿通穴の一方は雌ねじが刻設されるか又は背後に雌ねじ部材を有する一方、挿通穴の他方に対応する木製柄の部位には挿通穴が設けられており、固定板には鋸板の基部が差し込まれ、木製柄の挿通穴及び固定板の他方の挿通穴から皿ねじが差し込まれ、鋸板基部の穴又は溝に挿通されて固定板の一方の挿通穴の雌ねじ又は雌ねじ部材に螺合されて締め付けられることによって鋸板基部が木製柄に固定されている。【選択図】図１
2019209559.tif 000002
【特許請求の範囲】
【請求項１】
木製柄の先端には差込み溝が軸線方向に延びて形成され、該差込み溝に鋸板の基部が押し込まれ、木製柄の先端部に籐が巻き締められて鋸板の基部が木製柄に固定されるようになした手引き鋸において、
上記鋸板（１２）の基部（１２Ａ）は固定用の穴又は溝を有し、
上記木製柄（１１）の先端部には籐（１５）が巻き締められ、
上記木製柄（１１）の差込み溝（１１Ａ）には先端開口からＵ字状の金属製の固定板（１４）が差込み固定され、該固定板（１４）の両側壁面は鋸板基部（１２Ａ）の厚みと等しい間隔を有し、該固定板（１４）の両側壁面の対面する箇所に挿通穴（１４Ａ、１４Ｂ）が設けられており、上記挿通穴の一方（１４Ｂ）は雌ねじが刻設されるか又は背後に雌ねじ部材を有する一方、上記挿通穴の他方（１４Ａ）に対応する木製柄（１１）の部位には挿通穴が設けられており、
上記固定板（１４）には鋸板（１２）の基部（１２Ａ）が差し込まれ、上記木製柄（１１）の挿通穴及び固定板（１４）の他方の挿通穴（１４Ａ）から皿ねじ（１３）が差し込まれ、上記鋸板基部（１２Ａ）の穴又は溝に挿通されて上記固定板（１４）の一方の挿通穴（１４Ｂ）の雌ねじ又は雌ねじ部材（１４Ｃ）に螺合されて締め付けられることによって鋸板基部（１２Ａ）が木製柄（１１）に固定されていることを特徴とする手引き鋸。
【発明の詳細な説明】
【技術分野】
【０００１】
本発明は手引き鋸に関し、特に切れ味の劣化に容易に対応でき、しかもほぞ切り等の特定の用途に限定されることがないようにした鋸に関する。
【背景技術】
【０００２】
手引き鋸は木材品、プラスチック品、金属品などの切断に広く使用されており、通常は柄に鋸板を取付けた構造になっているが、長期にわたる使用によって鋸の切れ味が劣化することがあり、その対応が求められている。
【０００３】
手引き鋸の柄には直線状の木製柄（特許文献１、特許文献２）と、湾曲したプラスチック製柄（特許文献３、特許文献４、特許文献５）とが知られている。プラスチック製柄の場合には柄の先端に金属製の取付け部を設け、取付け部に鋸板の基部を蝶ねじなどで交換可能に取付ける構造が採用され、切れ味が劣化したときには鋸板を簡単に交換することができるようになっている。
【０００４】
他方、木製柄の場合には柄の先端部分に差込み溝を形成し、差込み溝に鋸板の狭幅の基部を押し込み、柄の先端部分の外側に籐を強く巻き締めて鋸板の基部を固定するという構造が採用されており、切れ味が劣化したときには必要に応じてあさり槌であさり分けを回復させ、やすりで目立てを行っているが、目立て作業は素人には難しく、熟練した職人に頼らざるを得ない。
【０００５】
これに対し、木製柄の差込み溝に２枚の重ねた取付け板の基部を差し込み、木製柄の先端部分に籐を巻き付けて取付け板を固定し、この取付け板の間に鋸板を挟み、蝶ねじで固定し、切れ味が劣化したときに鋸板を交換できるようにした木製柄の手引き鋸が提案されている（特許文献６）。
【先行技術文献】
【特許文献】
【０００６】
【特許文献１】特開２０１２−０９１４８５号公報
【特許文献２】特開２０１６−２０３５６０号公報
【特許文献３】特開２００３−２２０５２１号公報
【特許文献４】特開２００６−２４７７８４号公報
【特許文献５】特開２００８−２０７２８９号公報
【特許文献６】特開２０００−３４３５０３号公報
【発明の開示】
【発明が解決しようとする課題】
【０００７】
しかし、特許文献６記載の手引き鋸では取付け板が鋸板の両側に突き出ているので、取付け板が邪魔になって鋸板を深く切り込むことができず、ほぞ切り等、特定の用途に限定されてしまう。
【０００８】
本発明はかかる問題点に鑑み、切れ味の劣化に容易に対応でき、しかもほぞ切り等の特定の用途に限定されることがないようにした手引き鋸を提供することを課題とする。
【課題を解決するための手段】
【０００９】
そこで、本発明に係る手引き鋸は、木製柄の先端には差込み溝が軸線方向に延びて形成され、該差込み溝に鋸板の基部が押し込まれ、木製柄の先端部に籐が巻き締められて鋸板の基部が木製柄に固定されるようになした手引き鋸において、上記鋸板の基部は固定用の穴又は溝を有し、上記木製柄の先端部には籐が巻き締められ、上記木製柄の差込み溝には先端開口からＵ字状の金属製の固定板が差込み固定され、該固定板の両側壁面は鋸板基部の厚みと等しい間隔を有し、該固定板の両側壁面の対面する箇所に挿通穴が設けられており、上記挿通穴の一方は雌ねじが刻設されるか又は背後に雌ねじ部材を有する一方、上記挿通穴の他方に対応する木製柄の部位には挿通穴が設けられており、上記固定板には鋸板の基部が差し込まれ、上記木製柄の挿通穴及び固定板の他方の挿通穴から皿ねじが差し込まれ、上記鋸板基部の穴又は溝を挿通されて上記固定板の一方の挿通穴の雌ねじ又は雌ねじ部材に螺合されて締め付けられることによって鋸板基部が木製柄に固定されていることを特徴とする。
【００１０】
本発明の特徴の１つは木製柄にＵ字状の固定板を差込み、この固定板の狭い壁面の間に鋸板の基部を押し込み、皿ねじ（ＰＣねじ）で締め付け固定するようにした点にある。
【００１１】
これにより、鋸板は固定板と皿ねじとによって木製柄の差込み溝に強固に固定され、鋸の押し引きによって固定が弛むことはなく、又熟練した職人によって通常の木製柄の鋸と同様に目立て作業を行うことができる。
【００１２】
また、切れ味が劣化したときには皿ねじを弛めることによって鋸板を固定板から抜いて新しい鋸板と交換することができ、職人がいない場合にも切れ味の劣化に確実に対応できることとなる。
【００１３】
さらに、木製柄に固定板を埋設して鋸板の基部を固定した構造であり、鋸板自体は通常の鋸と同様に切り込みを阻害するものはないので、ほぞ切りなどの特定の用途に限定されることはない。
【図面の簡単な説明】
【００１４】
【図１】本発明に係る手引き鋸の好ましい実施形態を示す図である。
【図２】上記実施形態における固定板を示す図である。
【図３】上記実施形態における木製柄を示す側面図である。
【図４】上記木製柄を示す平面図である。
【発明を実施するための形態】
【００１５】
以下、本発明を図面に示す具体例に基づいて詳細に説明する。図１ないし図４は本発明に係る手引き鋸の好ましい実施形態を示す。図において、手引き鋸１０は真っ直ぐな木製柄１１と木製柄１１の先端に取付けられた鋸板１２とからなり、木製柄１１は２つ割りの柄を重ね接着して製作され（但し、図示の都合上、図には割り線は表していない）、その両端には籐１５、１６が強く巻き締められている。
【００１６】
木製柄１１は先端に差込み溝１１Ａが軸線方向に延びて形成され、差込み溝１１Ａには固定板１４が押し込まれて固定されている。この固定板１４は金属板をＵ字状にプレス曲げして製作され、固定板１４の左右両側壁面の間は鋸板１２の基部１２Ａの厚みと同じ間隔となっている。
【００１７】
固定板１４の両壁面には挿通穴１４Ａ、１４Ｂが対面して穿設され、一方の挿通穴１４Ｂには雌ねじが刻設され、他方の挿通穴１４Ａに対応する木製柄１１及び籐１５の部位には挿通穴が形成されている。なお、一方の挿通穴１４Ｂには雌ねじを刻設するのではなく、差込み溝１１に内面にナット１４Ｃを嵌め込む凹溝を形成し、図２の（ｃ）に示されるように、挿通穴１４Ｂの背後にナット１４Ｃを設けるようにしてもよい。
【００１８】
鋸板１２の基部１２Ａは本体に比較して狭幅に形成され、鋸板１２の基部１２Ａには挿通穴が形成され、鋸板１２の基部１２Ａが固定板１４に十分に、つまり鋸板１２の本体の後端縁が固定板１４の前端面にほぼ接する程度差し込まれた後、他方の挿通穴１４Ａから皿ねじ１３が差し込まれ、鋸板１２の基部１２Ａの挿通穴に挿通され、一方の挿通穴１４Ｂの雌ねじに螺合され、皿ねじ１３が強く締め付けられることによって鋸板１２の基部１２Ａは木製柄１１の先端部に着脱可能に固定されている。
【００１９】
以上のように、木製柄１１にＵ字状の固定板１４を差込み、この固定板１４の狭い壁面の間に鋸板１２の基部１２Ａを押し込み、皿ねじ１３で締め付け固定するようにしたので、鋸板１２は固定板１４と皿ねじ１３とによって木製柄１１の差込み溝１１Ａに強固に固定され、鋸の押し引きによって固定が弛むことはなく、又熟練した職人によって通常の木製柄の鋸と同様に目立て作業を行うことができる。
【００２０】
また、切れ味が劣化したときには皿ねじ１３を弛めることによって鋸板１２を固定板１４から抜いて新しい鋸板１２と交換することができ、職人がいない場合にも切れ味の劣化に確実に対応できることとなる。
【００２１】
さらに、木製柄１１に固定板１４を埋設して鋸板１２の基部１２Ａを固定した構造であり、鋸板１２自体は通常の鋸と同様に切り込みを阻害するものはないので、ほぞ切りなどの特定の用途に限定されることはない。
【符号の説明】
【００２２】
１０      手引き鋸
１１      木製柄
１２      鋸板
１２Ａ      基部
１３      皿ねじ
１４      固定板
１４Ａ  １４Ｂ      挿通穴
【図１】
2019209559.tif 000003
【図２】
2019209559.tif 000004
【図３】
2019209559.tif 000005
【図４】
2019209559.tif 000006